(57)【特許請求の範囲】
【請求項１】
入力色彩値を標準色で規定される色彩値に色変換するための標準色ターゲットプロファイルを取得する標準色ターゲットプロファイル取得部と、
前記標準色ターゲットプロファイルにより色変換された印刷画像を第１の印刷機で印刷して得られた印刷物を利用し、当該印刷物の測色値に基づいて作成された基準機ターゲットプロファイルを取得する基準機ターゲットプロファイル取得部と、
前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成部と、
第２の印刷機に印刷させる印刷画像に対して、前記記憶部に記憶した前記目標色変換テーブルを用いて色変換を実施して、前記第２の印刷機に出力する色変換部と、を備え、
前記目標色変換テーブル生成部は、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくする、
ことを特徴とするプロファイル作成装置。
【請求項２】
前記目標色変換テーブル生成部は、前記標準色ターゲットプロファイルの最高彩度点と最低彩度点とを用いて、前記入力色彩値から算出される彩度と前記所定の係数との関係を規定する特性曲線を作成し、当該特性曲線を用いて、前記入力色彩値から算出される彩度に対応する前記所定の係数を算出することにより、前記目標色彩値を算出する、
ことを特徴とする請求項１に記載のプロファイル作成装置。
【請求項３】
前記色変換部は、前記標準色ターゲットプロファイルと前記基準機ターゲットプロファイルとを比較して、前記第１の印刷機の色域が標準色の色域内であるかを判断し、前記第１の印刷機の色域が標準色の色域内の場合は、前記第２の印刷機に印刷させる印刷画像に対して、前記基準機ターゲットプロファイル又は前記標準色ターゲットプロファイルの一方を使用して色変換を実施する、
ことを特徴とする請求項１又は２に記載のプロファイル作成装置。
【請求項４】
前記基準機ターゲットプロファイル取得部は、複数の印刷機に対応する複数の前記基準機ターゲットプロファイルがある場合は、各々の印刷機が印刷した印刷物の測色値の内の、標準色の色彩値に最も近い測色値が得られる印刷物を出力した印刷機に対応する基準機ターゲットプロファイルを取得する、
ことを特徴とする請求項１乃至３のいずれか一に記載のプロファイル作成装置。
【請求項５】
前記基準機ターゲットプロファイル取得部は、複数の印刷機に対応する複数の前記基準機ターゲットプロファイルがある場合は、各々の印刷機が印刷した印刷物の測色値の平均値又は中央値に基づいて選択される印刷機に対応する基準機ターゲットプロファイルを取得する、
ことを特徴とする請求項１乃至３のいずれか一に記載のプロファイル作成装置。
【請求項６】
複数の印刷機に接続されるプロファイル作成装置で動作するプロファイル作成プログラムであって、
前記プロファイル作成装置の制御部に、
入力色彩値を標準色で規定される色彩値に色変換するための標準色ターゲットプロファイルを取得する標準色ターゲットプロファイル取得処理、
前記標準色ターゲットプロファイルにより色変換された印刷画像を第１の印刷機で印刷して得られた印刷物を利用し、当該印刷物の測色値に基づいて作成された基準機ターゲットプロファイルを取得する基準機ターゲットプロファイル取得処理、
前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成処理、
第２の印刷機に印刷させる印刷画像に対して、前記記憶部に記憶した前記目標色変換テーブルを用いて色変換を実施して、前記第２の印刷機に出力する色変換処理、を実行させ、
目標色変換テーブル生成処理では、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくする、
ことを特徴とするプロファイル作成プログラム。
【請求項７】
前記目標色変換テーブル生成処理では、前記標準色ターゲットプロファイルの最高彩度点と最低彩度点とを用いて、前記入力色彩値から算出される彩度と前記所定の係数との関係を規定する特性曲線を作成し、当該特性曲線を用いて、前記入力色彩値から算出される彩度に対応する前記所定の係数を算出することにより、前記目標色彩値を算出する、
ことを特徴とする請求項６に記載のプロファイル作成プログラム。
【請求項８】
前記色変換処理では、前記標準色ターゲットプロファイルと前記基準機ターゲットプロファイルとを比較して、前記第１の印刷機の色域が標準色の色域内であるかを判断し、前記第１の印刷機の色域が標準色の色域内の場合は、前記第２の印刷機に印刷させる印刷画像に対して、前記基準機ターゲットプロファイル又は前記標準色ターゲットプロファイルの一方を使用して色変換を実施する、
ことを特徴とする請求項６又は７に記載のプロファイル作成プログラム。
【請求項９】
前記基準機ターゲットプロファイル取得処理では、複数の印刷機に対応する複数の前記基準機ターゲットプロファイルがある場合は、各々の印刷機が印刷した印刷物の測色値の内の、標準色の色彩値に最も近い測色値が得られる印刷物を出力した印刷機に対応する基準機ターゲットプロファイルを取得する、
ことを特徴とする請求項６乃至８のいずれか一に記載のプロファイル作成プログラム。
【請求項１０】
前記基準機ターゲットプロファイル取得処理では、複数の印刷機に対応する複数の前記基準機ターゲットプロファイルがある場合は、各々の印刷機が印刷した印刷物の測色値の平均値又は中央値に基づいて選択される印刷機に対応する基準機ターゲットプロファイルを取得する、
ことを特徴とする請求項６乃至８のいずれか一に記載のプロファイル作成プログラム。
【請求項１１】
複数の印刷機とプロファイル作成装置とクライアント端末と測色器とを含む印刷システムにおけるカラーマッチング方法であって、
印刷画像に対して、入力色彩値を標準色で規定される色彩値に色変換するための標準色ターゲットプロファイルを用いて色変換を実施してカラーチャートの画像を生成し、当該カラーチャートの画像を第１の印刷機に印刷させるカラーチャート生成処理と、
前記クライアント端末が、前記カラーチャートを前記測色器に測色させて測色値を取得し、当該測色値に基づいて基準機ターゲットプロファイルを作成する基準機ターゲットプロファイル作成処理と、
前記プロファイル作成装置が、前記標準色ターゲットプロファイルを取得する標準色ターゲットプロファイル取得処理と、
前記プロファイル作成装置が、前記クライアント端末から前記基準機ターゲットプロファイルを取得する基準機ターゲットプロファイル取得処理と、
前記プロファイル作成装置が、前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成処理と、
前記プロファイル作成装置が、第２の印刷機に印刷させる印刷画像に対して、前記記憶部に記憶した前記目標色変換テーブルを用いて色変換を実施して、前記第２の印刷機に出力する色変換処理と、を実行し、
目標色変換テーブル生成処理では、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくする、
ことを特徴とするカラーマッチング方法。
【請求項１２】
前記目標色変換テーブル生成処理では、前記標準色ターゲットプロファイルの最高彩度点と最低彩度点とを用いて、前記入力色彩値から算出される彩度と前記所定の係数との関係を規定する特性曲線を作成し、当該特性曲線を用いて、前記入力色彩値から算出される彩度に対応する前記所定の係数を算出することにより、前記目標色彩値を算出する、
ことを特徴とする請求項１１に記載のカラーマッチング方法。
【請求項１３】
前記色変換処理では、前記標準色ターゲットプロファイルと前記基準機ターゲットプロファイルとを比較して、前記第１の印刷機の色域が標準色の色域内であるかを判断し、前記第１の印刷機の色域が標準色の色域内の場合は、前記第２の印刷機に印刷させる印刷画像に対して、前記基準機ターゲットプロファイル又は前記標準色ターゲットプロファイルの一方を使用して色変換を実施する、
ことを特徴とする請求項１１又は１２に記載のカラーマッチング方法。
【請求項１４】
前記カラーチャート生成処理では、複数の印刷機に前記カラーチャートを印刷させ、
前記基準機ターゲットプロファイル作成処理では、各々の印刷機が印刷したカラーチャートの測色値に基づき、標準色の色彩値に最も近い測色値が得られる印刷機を基準機に設定し、当該印刷機で印刷したカラーチャートの測色値を用いて前記基準機ターゲットプロファイルを作成する、
ことを特徴とする請求項１１乃至１３のいずれか一に記載のカラーマッチング方法。
【請求項１５】
前記カラーチャート生成処理では、複数の印刷機に前記カラーチャートを印刷させ、
前記基準機ターゲットプロファイル作成処理では、各々の印刷機が印刷したカラーチャートの測色値の平均値又は中央値に基づいて基準機となる印刷機を設定し、当該印刷機で印刷したカラーチャートの測色値を用いて前記基準機ターゲットプロファイルを作成する、
ことを特徴とする請求項１１乃至１３のいずれか一に記載のカラーマッチング方法。
【発明の詳細な説明】
【技術分野】
【０００１】
本発明は、プロファイル生成装置及びプロファイル生成プログラム並びにカラーマッチング方法に関し、特に、複数の画像形成装置を含む印刷システムに接続されるプロファイル生成装置及び当該プロファイル生成装置で動作するプロファイル生成プログラム並びに複数の画像形成装置を含む印刷システムにおけるカラーマッチング方法に関する。
【背景技術】
【０００２】
大量印刷時にはオフセット印刷機を使用し、少量印刷時にはデジタル印刷機を活用して効率的に印刷を行う運用においては、両方の印刷機から出力される印刷物の色を合わせたいという需要がある。また商用印刷では、ISO-12647-2等で制定された「Japan Color」、「Fogra」、「GRACoL」等の業界標準色に準拠した色調で印刷物を出力することが求められている。
【０００３】
オフセット印刷機とデジタル印刷機などの複数の印刷機が混在する印刷システムにおける内容ではないが、印刷物の色を調整する方法に関して、例えば、下記特許文献１には、入力データを色の三属性情報（ＬＣＨ）に変換し、彩度補正レベルに応じて、彩度補正の方向と補正率を決定して補正を行うことで、出力装置の特性に応じた彩度補正を可能とする方法が開示されている。また、下記特許文献２には、非デバイス空間上を複数の領域に分けて、それぞれの領域について異なった基準で色変換を行う方法が開示されている。
【先行技術文献】
【特許文献】
【０００４】
【特許文献１】特開２０１１−１５５３５２号公報
【特許文献２】特開２０１０−１８７３３０号公報
【発明の概要】
【発明が解決しようとする課題】
【０００５】
オフセット印刷機とデジタル印刷機の双方に対して、個別に標準色へのカラーマッチングを行った場合に、カラーマッチングには補間計算やマッピングによる誤差が生じるため、それぞれの印刷物の色調に差異が発生する。特に、低彩度領域では人間の目は色の違いを識別しやすく、色の違いはイメージ全体の印象に強く影響を与えるため、両者が標準色の許容範囲内であっても見た目の差異が発生する場合がある。
【０００６】
見た目の差異を解決する方法として、オフセット印刷機は標準色をターゲットとして色合せを行い、これを基準機としてデジタル印刷機（サブ機）のカラーマッチングを行う方法が考えられる。この方法では、双方の印刷機が出力する印刷物の見た目の差異を抑えることができるが、基準機側のカラーマッチングの誤差がサブ機側のカラーマッチングに反映されてしまうため、サブ機の色調が標準色の許容範囲から外れてしまう場合がある。特に、色域の最外殻に近い高彩度領域では低彩度領域よりもカラーマッチングの誤差が大きくなるため、サブ機の色調が標準色の許容範囲から外れやすくなる。
【０００７】
本発明は、上記問題点に鑑みてなされたものであって、その主たる目的は、複数の印刷機に対して、印刷物の見た目の印象を合わせ、かつ、標準色からのずれを抑制することができるプロファイル生成装置及びプロファイル生成プログラム並びにカラーマッチング方法を提供することにある。
【課題を解決するための手段】
【０００８】
本発明の一側面は、プロファイル作成装置であって、入力色彩値を標準色で規定される色彩値に色変換するための標準色ターゲットプロファイルを取得する標準色ターゲットプロファイル取得部と、前記標準色ターゲットプロファイルにより色変換された印刷画像を第１の印刷機で印刷して得られた印刷物を利用し、当該印刷物の測色値に基づいて作成された基準機ターゲットプロファイルを取得する基準機ターゲットプロファイル取得部と、前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成部と、第２の印刷機に印刷させる印刷画像に対して、前記記憶部に記憶した前記目標色変換テーブルを用いて色変換を実施して、前記第２の印刷機に出力する色変換部と、を備え、前記目標色変換テーブル生成部は、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくすることを特徴とする。
【０００９】
本発明の一側面は、複数の印刷機に接続されるプロファイル作成装置で動作するプロファイル作成プログラムであって、前記プロファイル作成装置の制御部に、入力色彩値を標準色で規定される色彩値に色変換するための標準色ターゲットプロファイルを取得する標準色ターゲットプロファイル取得処理、前記標準色ターゲットプロファイルにより色変換された印刷画像を第１の印刷機で印刷して得られた印刷物を利用し、当該印刷物の測色値に基づいて作成された基準機ターゲットプロファイルを取得する基準機ターゲットプロファイル取得処理、前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成処理、第２の印刷機に印刷させる印刷画像に対して、前記記憶部に記憶した前記目標色変換テーブルを用いて色変換を実施して、前記第２の印刷機に出力する色変換処理、を実行させ、目標色変換テーブル生成処理では、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくすることを特徴とする。
【００１０】
本発明の一側面は、複数の印刷機とプロファイル作成装置とクライアント端末と測色器とを含む印刷システムにおけるカラーマッチング方法であって、印刷画像に対して、入力色彩値を標準色で規定される色彩値に色変換するための標準色ターゲットプロファイルを用いて色変換を実施してカラーチャートの画像を生成し、当該カラーチャートの画像を第１の印刷機に印刷させるカラーチャート生成処理と、前記クライアント端末が、前記カラーチャートを前記測色器に測色させて測色値を取得し、当該測色値に基づいて基準機ターゲットプロファイルを作成する基準機ターゲットプロファイル作成処理と、前記プロファイル作成装置が、前記標準色ターゲットプロファイルを取得する標準色ターゲットプロファイル取得処理と、前記プロファイル作成装置が、前記クライアント端末から前記基準機ターゲットプロファイルを取得する基準機ターゲットプロファイル取得処理と、前記プロファイル作成装置が、前記標準色ターゲットプロファイルと前記基準機ターゲットプロファイルとを組み合わせて、入力色彩値を目標色彩値に色変換するための目標色変換テーブルを生成して記憶部に記憶する目標色変換テーブル生成処理と、前記プロファイル作成装置が、第２の印刷機に印刷させる印刷画像に対して、前記記憶部に記憶した前記目標色変換テーブルを用いて色変換を実施して、前記第２の印刷機に出力する色変換処理と、を実行し、目標色変換テーブル生成処理では、前記標準色ターゲットプロファイルと前記基準機ターゲットプロファイルとを所定の係数で重み付けして加算することによって前記目標色彩値を算出する際に、前記入力色彩値から算出される彩度が相対的に高い彩度領域では、加算する前記標準色ターゲットプロファイルの割合を大きくし、前記入力色彩値から算出される彩度が相対的に低い彩度領域では、加算する前記基準機ターゲットプロファイルの割合を大きくすることを特徴とする。
【発明の効果】
【００１１】
本発明のプロファイル生成装置及びプロファイル生成プログラム並びにカラーマッチング方法によれば、複数の印刷機に対して、印刷物の見た目の印象を合わせ、かつ、標準色からのずれを抑制することができる。
【００１２】
その理由は、基準機は標準色をターゲットとしてカラーマッチングを行い、サブ機は、低彩度領域では基準機寄りにカラーマッチングを行い、高彩度領域では標準色寄りにカラーマッチングを行うからである。
【図面の簡単な説明】
【００１３】
【図１】本発明の一実施例に係る印刷システムの構成例を示す模式図である。
【図２】本発明の一実施例に係るクライアント端末の構成を示すブロック図である。
【図３】本発明の一実施例に係るプリンタコントローラの構成を示すブロック図である。
【図４】本発明の一実施例に係る画像形成装置の構成を示すブロック図である。
【図５】本発明の一実施例に係る印刷システムの動作（基準機ターゲットプロファイルの作成手順）を示すフローチャート図である。
【図６】本発明の一実施例に係る印刷システムの動作（サブ機でのカラーマッチング手順）を示すフローチャート図である。
【図７】本発明の一実施例に係るプリンタコントローラの動作（目標色変換テーブルの作成処理）を示すフローチャート図である。
【図８】係数設定に用いる特性曲線の一例を示す図である。
【図９】係数設定に用いる特性曲線の他の例を示す図である。
【図１０】係数設定に用いる特性曲線の他の例を示す図である。
【図１１】係数設定に用いる特性曲線の他の例を示す図である。
【図１２】係数設定に用いる特性曲線の他の例を示す図である。
【図１３】係数設定に用いる特性曲線の他の例を示す図である。
【図１４】オフセット印刷機とデジタル印刷機を共に標準色に色合わせした場合の問題を説明する図である。
【図１５】人間の目の色識別を説明する図である。
【図１６】サブ機を基準機の色彩値に合わせた場合の低彩度領域の色域を示す模式図である。
【図１７】サブ機を基準機の色彩値に合わせた場合の高彩度領域の色域を示す模式図である。
【発明を実施するための形態】
【００１４】
背景技術で示したように、大量印刷時にはオフセット印刷機を使用し、少量印刷時にはデジタル印刷機を活用して効率的に印刷を行う運用において、双方の印刷機に対して、個別に標準色へのカラーマッチングを行った場合に、それぞれの印刷物の色調に差異が発生する。この問題について図１４を参照して説明する。図１４は、Ｌ*ａ*ｂ*で定義される色空間のａ*ｂ*色度図を表しており、図の＋印は標準色の目標色彩値、図の破線の円は標準色の許容範囲（例えば、Japan ColorにおけるΔＥave≦３やΔＥmax≦６など）、×印はオフセット印刷機とデジタル印刷機の色彩値（標準色をターゲットとしてカラーマッチングを行った場合の色彩値）を示している。図１４より、オフセット印刷機及びデジタル印刷機の双方に対して標準色へのカラーマッチングを行った場合、各々の色彩値に標準色からのずれ（ΔＥr）が生じ、色度図上でずれの方向が異なると両者の色彩値のずれ（ΔＥdiff）が大きくなる。
【００１５】
特に、低彩度領域では人間の目は色の違いを識別しやすく、色の違いはイメージ全体の印象に強く影響を与えるため、両者が標準色の許容範囲内であっても見た目の差異として問題になる場合がある。図１５（ａ）は、ａ*ｂ*色度図の一部を図式化したものであり、色度図上の黒い楕円は、各彩度及び色相における人の目の色識別域を表している。図１５（ｂ）より、彩度が高い色（ａ*ｂ*色度図の外周方向の色）では、人の目の色識別域は色相方向に狭く彩度方向に広く延びた楕円形状となり色の違いを識別しにくくなるが、彩度が低い色（ａ*ｂ*色度図の中心近傍の色）では人の目の色識別域は真円に近い形状となり色の違いを識別しやすくなる。そのため、低彩度領域では、両者の色彩値が共に標準色の許容範囲内であっても、見た目の差異が顕著に現れる。
【００１６】
この問題を解決する方法として、オフセット印刷機は標準色をターゲットとして色合せを行い、これを基準機としてデジタル印刷機（サブ機）のカラーマッチングを行う方法が考えられるが、この方法では、基準機側のカラーマッチングの誤差がサブ機側のカラーマッチングに反映されてしまうため、サブ機の色調が標準色の許容範囲から外れてしまう場合がある。特に、色域の最外殻に近い高彩度領域では低彩度領域よりもカラーマッチングの誤差が大きいため、許容範囲から外れやすくなる。この問題について図１６及び図１７を参照して説明する。図１６及び図１７は、図１４と同様のａ*ｂ*色度図を表しており、図の＋印は標準色の目標色彩値、図の破線の円は標準色の許容範囲、図の一点鎖線の円は、基準機の色彩値の許容範囲、×印は基準機とサブ機の色彩値を示している。図１６の低彩度領域では、カラーマッチング誤差が小さいため、基準機の色彩値をターゲットにしてサブ機のカラーマッチングを行った場合、サブ機の色彩値が標準色の許容範囲に収まる場合が多い。一方、図１７の高彩度領域では、カラーマッチング誤差が大きいため、基準機の色彩値をターゲットにしてサブ機のカラーマッチングを行った場合、サブ機の色彩値が標準色の許容範囲から外れる場合（図１７のハッチング領域参照）が生じる。
【００１７】
すなわち、オフセット印刷機（基準機）とデジタル印刷機（サブ機）の双方を、標準色をターゲットとしてカラーマッチングを行うと、特に低彩度領域で見た目の差異が顕著になり、また、オフセット印刷機（基準機）は標準色をターゲットとしてカラーマッチングを行い、デジタル印刷機（サブ機）は基準機を基準としてカラーマッチングを行うと、特に高彩度領域でサブ機の色彩値の標準色からのずれが大きくなり、いずれの方法でも、基準機とサブ機とで、印刷物の見た目の印象を合わせ、かつ、標準色からのずれを抑制することはできない。
【００１８】
そこで、本発明の一実施の形態では、複数の印刷機を用いて印刷を行う場合、いずれかの印刷機（標準色に準拠した色調が求められる印刷機、例えば、オフセット印刷機）は、入力色彩値を標準色で規定される色彩値に色変換するための標準色ターゲットプロファイルを用い、標準色をターゲットとしてカラーマッチングを行う。また、当該印刷機で標準色ターゲットプロファイルにより色変換された印刷物（カラーチャート）を印刷し、当該印刷物の測色値に基づいて、入力色彩値を目標色彩値に色変換するためのターゲットプロファイル（基準機ターゲットプロファイル）を作成する。そして、他の印刷機（印刷物の色を合わせたい印刷機、例えば、デジタル印刷機）は、標準色ターゲットプロファイルと基準機ターゲットプロファイルとを組み合わせ、高彩度領域は標準色を目標とし、低彩度領域は基準機の色彩値を目標としてカラーマッチングを行う。具体的には、標準色ターゲットプロファイルと基準機ターゲットプロファイルとを所定の係数で重み付けして加算することによって目標色彩値を算出する際に、入力色彩値から算出される彩度が予め定めた彩度領域に含まれる場合は、彩度が高くなるに従って、加算する標準色ターゲットプロファイルの割合が大きくなるようにする（言い換えると、入力色彩値から算出される彩度が相対的に高い彩度領域では、加算する標準色ターゲットプロファイルの割合を大きくし、入力色彩値から算出される彩度が相対的に低い彩度領域では、加算する基準機ターゲットプロファイルの割合を大きくする）。これにより、標準色に対する数値性能と、基準機に対する目視性能とを両立させることができる。
【実施例】
【００１９】
上記した本発明の実施の形態についてさらに詳細に説明すべく、本発明の一実施例に係るプロファイル生成装置及びプロファイル生成プログラム並びにカラーマッチング方法について、図１乃至図１３を参照して説明する。図１は、本実施例の印刷システムの構成例を示す模式図であり、図２乃至図４は、各々、本実施例のクライアント端末、プリンタコントローラ、画像形成装置の構成を示すブロック図である。また、図５乃至図７は、本実施例の印刷システムの動作を示すフローチャート図であり、図８乃至図１３は、係数設定に用いる特性曲線の一例を示す図である。
【００２０】
図１に示すように、本実施例の印刷システム１０は、クライアント端末２０と、プリンタコントローラ３０と、複数の画像形成装置４０（本実施例では基準機となるオフセット印刷機４０ａとサブ機となるデジタル印刷機４０ｂ）と、測色器５０などで構成される。これらはイーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク６０を介して接続されている。なお、プリンタコントローラ３０と画像形成装置４０とはＰＣＩ（Peripheral Component Interconnect）接続など、専用線で接続されていてもよい。以下、各装置について説明する。
【００２１】
［クライアント端末］
クライアント端末２０は、印刷ジョブを作成・編集する作業端末である。このクライアント端末２０は、図２（ａ）に示すように、制御部２１、記憶部２５、ネットワークＩ／Ｆ部２６、測色器制御部２７、表示部２８、操作部２９などで構成される。
【００２２】
制御部２１は、ＣＰＵ（Central Processing Unit）２２とＲＯＭ（Read Only Memory）２３やＲＡＭ（Random Access Memory）２４などのメモリとで構成され、ＣＰＵ２２は、ＲＯＭ２３や記憶部２５に記憶した制御プログラムをＲＡＭ２４に展開して実行することにより、クライアント端末２０全体の動作を制御する。上記制御部２１は、図２（ｂ）に示すように、基準機ターゲットプロファイル作成部２１ａ、印刷ジョブ生成部２１ｂなどとして機能する。
【００２３】
基準機ターゲットプロファイル作成部２１ａは、プリンタコントローラ３０に基準機ターゲットプロファイルの作成を指示する。そして、基準機ターゲットプロファイル作成部２１ａは、測色器５０が、基準機（オフセット印刷機４０ａ）が印刷したカラーチャート（標準色ターゲットプロファイルを用いてカラーマッチングを行ったカラーチャート）を測色した測色値を取得して、基準機ターゲットプロファイルを作成し、作成した基準機ターゲットプロファイルをプリンタコントローラ３０に通知する。なお、カラーチャートは、予め基準機として設定した１台の画像形成装置４０に印刷させてもよいし、複数台の画像形成装置４０に印刷させてもよい。その場合、各々の画像形成装置４０が印刷したカラーチャートの測色値に基づき、標準色の色彩値に最も近い測色値が得られる画像形成装置４０を基準機に設定（若しくは、各々の画像形成装置４０が印刷したカラーチャートの測色値の平均値又は中央値に基づいて基準機となる画像形成装置４０を設定）し、その画像形成装置４０で印刷したカラーチャートの測色値を用いて基準機ターゲットプロファイルを作成してもよい。また、各々の画像形成装置４０が印刷したカラーチャートの測色値に基づいて作成した基準機ターゲットプロファイルを画像形成装置４０に対応付けてプリンタコントローラ３０に通知してもよい。
【００２４】
印刷ジョブ生成部２１ｂは、印刷対象の原稿データを、画像形成装置４０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換し、この印刷ジョブをプリンタコントローラ３０に送信して印刷指示を行う。この印刷ジョブには、カラーマッチングの設定（色変換に使用する標準色ターゲットプロファイルや基準機ターゲットプロファイルの設定）が記述される。
【００２５】
記憶部２５は、ＨＤＤ（Hard Disk Drive）やＳＳＤ（Solid State Drive）などで構成され、ＣＰＵ２２が各部を制御するためのプログラム、自装置の処理機能に関する情報、基準機ターゲットプロファイル作成部２１ａが作成したターゲットプロファイル、印刷ジョブ生成部２１ｂが作成した印刷ジョブなどを記憶する。
【００２６】
ネットワークＩ／Ｆ部２６は、ＮＩＣ（Network Interface Card）やモデムなどで構成され、クライアント端末２０を通信ネットワーク６０に接続し、プリンタコントローラ３０に指示情報や印刷ジョブを送信したり、測色器５０から測色値を受信したりする。
【００２７】
測色器制御部２７は、測色器５０を制御して、基準機（オフセット印刷機４０ａ）が印刷したカラーチャートを測色させ、当該カラーチャートの測色値を取得する。
【００２８】
表示部２８は、液晶表示装置（ＬＣＤ：Liquid Crystal Display）や有機ＥＬ（electroluminescence）表示装置などで構成され、基準機ターゲットプロファイルを作成する際のカラーマッチングの設定画面、印刷ジョブを生成する際の印刷設定画面などを表示する。
【００２９】
操作部２９は、マウスやキーボードなどで構成され、基準機ターゲットプロファイルを作成する際のカラーマッチングの設定、印刷ジョブを生成する際の印刷設定などの操作を可能にする。
【００３０】
［プリンタコントローラ］
プリンタコントローラ３０は、プロファイル作成装置であり、クライアント端末２０から受け取った印刷ジョブに従ってラスタライズ処理や色変換処理を行い、オフセット印刷機４０ａやデジタル印刷機４０ｂに転送する。その際、各々のクライアント端末２０で設定されたカラーマッチングの設定に基づいて色変換を行う。このプリンタコントローラ３０は、図３（ａ）に示すように、制御部３１、記憶部３５、ネットワークＩ／Ｆ部３６、必要に応じて、表示部３７及び操作部３８などで構成される。
【００３１】
制御部３１は、ＣＰＵ３２とＲＯＭ３３やＲＡＭ３４などのメモリとで構成され、ＣＰＵ３２は、ＲＯＭ３３や記憶部３５に記憶した制御プログラムをＲＡＭ３４に展開して実行することにより、プリンタコントローラ３０全体の動作を制御する。上記制御部３１は、図３（ｂ）に示すように、カラーチャート生成部３１ａ、印刷ジョブ解析部３１ｂ、標準色ターゲットプロファイル取得部３１ｃ、基準機ターゲットプロファイル取得部３１ｄ、目標色変換テーブル生成部３１ｅ、色変換部３１ｈなどとして機能する。
【００３２】
カラーチャート生成部３１ａは、クライアント端末２０からの指示に従って、基準機ターゲットプロファイルを作成するためのカラーチャートの画像を生成し、基準機（オフセット印刷機４０ａ）にカラーチャートの画像の印刷を指示する。このカラーチャートの画像は、標準色ターゲットプロファイルを用いて色変換される。
【００３３】
印刷ジョブ解析部３１ｂは、クライアント端末２０から受信した印刷ジョブを解析し、各ページをラスタライズして画像データを生成する。また、印刷ジョブ解析部３１ｂは、クライアント端末２０によるカラーマッチングの設定（色変換に使用する標準色ターゲットプロファイルや基準機ターゲットプロファイルの設定）を特定し、特定したカラーマッチングの設定を標準色ターゲットプロファイル取得部３１ｃ、基準機ターゲットプロファイル取得部３１ｄ、目標色変換テーブル生成部３１ｅに通知する。
【００３４】
標準色ターゲットプロファイル取得部３１ｃは、クライアント端末２０によるカラーマッチングの設定に従って、記憶部３５や通信ネットワーク６０上のクラウドサーバなどから、入力色彩値を「Japan Color」、「Fogra」、「GRACoL」等の標準色で規定される色彩値に色変換するための標準色ターゲットプロファイルを取得する。
【００３５】
基準機ターゲットプロファイル取得部３１ｄは、クライアント端末２０によるカラーマッチングの設定に従って、記憶部３５などから、目標色変換テーブルの作成に利用する基準機ターゲットプロファイルを取得する。なお、複数台の画像形成装置４０に対応する複数の基準機ターゲットプロファイルが記憶されている場合は、標準色の色彩値に最も近い測色値が得られるカラーチャートを出力した画像形成装置４０（又はカラーチャートの測色値の平均値又は中央値に基づいて選択された画像形成装置４０）に対応する基準機ターゲットプロファイルを取得する。
【００３６】
目標色変換テーブル生成部３１ｅは、標準色ターゲットプロファイルと基準機ターゲットプロファイルとを組み合わせて、サブ機（デジタル印刷機４０ｂ）に対する色変換のための目標色変換テーブルを生成し、生成した目標色変換テーブルを記憶部３５などに記憶する。この目標色変換テーブルは、入力色彩値と目標色彩値とを対応付けるルックアップテーブル（プロファイル）であり、後述するように、高彩度領域は標準色ターゲットプロファイル寄りの色彩値を目標とし、低彩度領域は基準機ターゲットプロファイル寄りの色彩値を目標として色合せを行うことができるように設定される。この目標色変換テーブル生成部３１ｅは、係数算出部３１ｆと目標色彩値算出部３１ｇとを含む。
【００３７】
係数算出部３１ｆは、標準色ターゲットプロファイルと基準機ターゲットプロファイルとをどのような割合で加算して目標色彩値を算出するかを規定する係数（Ｗｉ）と彩度（Ｃ*）とを対応付ける特性曲線を作成し、作成した特性曲線を用いて、入力色彩値（Ｌ*ａ*ｂ*）から算出される彩度に対応する係数（Ｗｉ）を算出する。なお、Ｗｉは加算する基準機ターゲットプロファイルの割合を示し、１−Ｗｉは加算する標準色ターゲットプロファイルの割合を示す。また、入力色彩値（Ｌ*ａ*ｂ*）の彩度は以下の式で計算することができる。
彩度Ｃ*＝（（ａ*）２＋（ｂ*）２）１／２
【００３８】
上記特性曲線は、標準色ターゲットプロファイルの最高彩度点と最低彩度点とを特定し、その２点を繋ぐことにより作成することができる。この特性曲線は、入力色彩値の彩度が最小の時に係数が最大（例えば、「１」）となり、入力色彩値の彩度が最大の時に係数が最小（例えば、「０」）となればよく、その２点の間の形状は特に限定されない。例えば、図８に示すように、上記２点を一次関数で表される直線で繋いでもよいし、図９に示すように、二次以上の高次関数で表される曲線で繋いでもよいし、指数関数で表される曲線で繋いでもよい。また、特性曲線は、彩度の変化に対して係数が一定となる（すなわち、傾きがゼロとなる）領域を含んでいてもよく、例えば、図１０に示すように、低彩度領域で係数が一定となるようにしてもよいし、図１１に示すように、高彩度領域で係数が一定となるようにしてもよいし、図１２及び図１３に示すように、彩度の中間領域で係数が一定となるようにしてもよいし、ステップ形状としてもよい。また、図８乃至図１３では、彩度の増加に応じて係数が減少する場合を示したが、彩度の増加に応じて係数が増加する彩度領域を含んでいてもよい。
【００３９】
目標色彩値算出部３１ｇは、係数算出部３１ｆが算出した係数に従って、標準色ターゲットプロファイルと基準機ターゲットプロファイルとを組み合わせて、入力色彩値に対する目標色彩値を算出する。そして、各入力色彩値と目標色彩値とを対応付けることにより、目標色変換テーブルが生成される。具体的には、目標色彩値をＬ３、ａ３、ｂ３、標準色ターゲットプロファイルの色彩値をＬ１、ａ１、ｂ１、基準機ターゲットプロファイルの色彩値をＬ２、ａ２、ｂ２、係数をＷｉとしたとき、目標色彩値Ｌ３、ａ３、ｂ３は以下のようになる。
Ｌ３＝Ｌ１×（１−Ｗｉ）＋Ｌ２×Ｗｉ
ａ３＝ａ１×（１−Ｗｉ）＋ａ２×Ｗｉ
ｂ３＝ｂ１×（１−Ｗｉ）＋ｂ２×Ｗｉ
【００４０】
色変換部３１ｈは、基準機（オフセット印刷機４０ａ）に印刷を指示する場合は、標準色ターゲットプロファイルを用いて色変換を行い、色変換後の印刷画像を基準機（オフセット印刷機４０ａ）に出力し、サブ機（デジタル印刷機４０ｂ）に印刷を指示する場合は、目標色変換テーブル生成部３１ｅが生成して記憶部３５などに記憶した目標色変換テーブルを用いて色変換を行い、色変換後の印刷画像をサブ機（デジタル印刷機４０ｂ）に出力する。また、色変換部３１ｈは、標準色ターゲットプロファイルと基準機ターゲットプロファイルとを比較して、基準機（オフセット印刷機４０ａ）の色域が標準色の色域内かどうかを判断し、基準機（オフセット印刷機４０ａ）の色域が標準色の色域内の場合は基準機ターゲットプロファイル又は標準色ターゲットプロファイルの一方を使用して色変換を行い、基準機（オフセット印刷機４０ａ）の色域が標準色の色域に収まらない場合は上記目標色変換テーブルを用いて色変換を行うように制御してもよい。
【００４１】
上記標準色ターゲットプロファイル取得部３１ｃ、基準機ターゲットプロファイル取得部３１ｄ、目標色変換テーブル生成部３１ｅ、色変換部３１ｈは、ハードウェアとして構成してもよいし、制御部３１を標準色ターゲットプロファイル取得部３１ｃ、基準機ターゲットプロファイル取得部３１ｄ、目標色変換テーブル生成部３１ｅ、色変換部３１ｈとして機能させるプロファイル生成プログラムとして構成し、当該プロファイル生成プログラムをＣＰＵ３２に実行させる（ＣＰＵ３２に標準色ターゲットプロファイル取得処理、基準機ターゲットプロファイル取得処理、目標色変換テーブル生成処理、色変換処理を実行させる）ようにしてもよい。
【００４２】
記憶部３５は、ＨＤＤやＳＳＤなどで構成され、ＣＰＵ３２が各部を制御するためのプログラム、クライアント端末２０から受信した印刷ジョブ、標準色ターゲットプロファイル、基準機ターゲットプロファイル、目標色変換テーブルなどを保存する。
【００４３】
ネットワークＩ／Ｆ部３６は、ＮＩＣやモデムなどで構成され、プリンタコントローラ３０を通信ネットワーク６０に接続し、クライアント端末２０から印刷ジョブや基準機ターゲットプロファイルを受信したり、画像形成装置４０に印刷ジョブを送信したりする。
【００４４】
［画像形成装置］
画像形成装置４０は、プリンタコントローラ３０からの印刷指示に従って印刷を行う印刷機である。本実施例の印刷システム１０に含まれる複数の画像形成装置４０は、主に大量印刷時に使用するオフセット印刷機４０ａと、主に少量印刷時に使用するデジタル印刷機４０ｂとを含む。これらの画像形成装置４０は群で管理可能であり、同じ群に属する画像形成装置４０を本実施例のプロファイル作成制御の対象とすることができる。この画像形成装置４０は、図４に示すように、制御部４１、記憶部４５、ネットワークＩ／Ｆ部４６、表示操作部４７、印刷処理部４８などで構成される。
【００４５】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、画像形成装置４０全体の動作を制御する。
【００４６】
記憶部４５は、ＨＤＤやＳＳＤなどで構成され、ＣＰＵ４２が各部を制御するためのプログラム、自装置の処理機能に関する情報などを記憶する。
【００４７】
ネットワークＩ／Ｆ部４６は、ＮＩＣやモデムなどで構成され、画像形成装置４０を通信ネットワーク６０に接続し、プリンタコントローラ３０が画像処理を行った画像データを受信する。
【００４８】
表示操作部４７は、表示部上に透明電極が格子状に配置された感圧式の操作部（タッチセンサ）を設けたタッチパネルなどであり、印刷処理に関する各種画面を表示し、印刷に関する各種操作を可能にする。
【００４９】
印刷処理部４８は、プリンタコントローラ３０から受信した画像データに基づいて印刷処理を実行する。この印刷処理部４８は、画像形成装置４０がオフセット印刷機４０ａの場合は、画像に応じた親油層が形成された版が配置される版胴と、版胴にＣＭＹＫの各色のインキを塗布するインキローラと、版胴のインキが転写されるブランケットと、ブランケット上のインキを用紙に転写するための圧胴とを備える印刷ユニット部と、給紙部（フィーダ部）と、排紙部（デリバリ部）などで構成される。また、画像形成装置４０がデジタル印刷機４０ｂの場合は、画像データに基づいてレーザ光を照射して露光する露光部と、感光体ドラムと現像部と帯電部と感光体クリーニング部と１次転写ローラとを備え、ＣＭＹＫの各色のトナー像を形成する画像形成部と、ローラによって回転され、画像形成部で形成されたトナー像を用紙に搬送する中間転写体として機能する中間ベルトと、中間ベルト上に形成されたトナー像を用紙に転写する２次転写ローラと、用紙に転写されたトナー像を定着させる定着部と、用紙を搬送する給紙ローラやレジストローラ、ループローラ、反転ローラ、排紙ローラ等の搬送部などで構成される。
【００５０】
［測色器］
測色器５０は、光の波長ごとに計測可能なスペクトル方式（分光光度計）の測色器であり、画像形成装置４０から出力されたカラーチャートを測色し、測色値（Ｌ*ａ*ｂ*値、ＸＹＺ値など）を出力する。
【００５１】
なお、図１乃至図４は、本実施例の印刷システム１０の一例であり、本実施例のカラーマッチング方法が実現可能な限りにおいて、各装置の構成や制御は適宜変更可能である。例えば、図１では、プリンタコントローラ３０と画像形成装置４０とを別々の装置としているが、プリンタコントローラ３０はいずれかの画像形成装置４０（例えば、オフセット印刷機４０ａ）に内包される構成としてもよい。
【００５２】
以下、本実施例の印刷システム１０の動作について説明する。まず、基準機ターゲットプロファイルの作成手順について、図５のフローチャート図を参照して説明する。
【００５３】
クライアント端末２０の制御部２１（基準機ターゲットプロファイル作成部２１ａ）は、操作部２９によるユーザ操作に従って、プリンタコントローラ３０に対して基準機ターゲットプロファイルの作成指示（基準機ターゲットプロファイル作成用カラーチャートの印刷指示）を行う（Ｓ１０１）。基準機ターゲットプロファイルの作成指示を受けたプリンタコントローラ３０の制御部３１（カラーチャート生成部３１ａ）は、標準色ターゲットプロファイルを用いて色変換を実施して基準機ターゲットプロファイル作成用カラーチャートの生成を行い、基準機（ここではオフセット印刷機４０ａ）に印刷指示を行う（Ｓ１０２）。なお、基準機ターゲットプロファイル作成用カラーチャートの生成のための標準色ターゲットプロファイルを用いた色変換及び基準機（オフセット印刷機４０ａ）に対する印刷指示は、クライアント端末２０や他の装置が実施しても構わない。
【００５４】
基準機（オフセット印刷機４０ａ）は、プリンタコントローラ３０の指示に従って基準機ターゲットプロファイル作成用カラーチャートを印刷する（Ｓ１０３）。この基準機ターゲットプロファイル作成用カラーチャートをクライアント端末２０に接続された測色器５０にセットすると、測色器５０は、クライアント端末２０の測色器制御部２７の制御に従って、基準機ターゲットプロファイル作成用カラーチャートに印刷されたカラーパッチを測色し、測色値（色彩値）をクライアント端末２０に出力する（Ｓ１０４）。
【００５５】
クライアント端末２０の制御部２１（基準機ターゲットプロファイル作成部２１ａ）は、測色器５０から取得した測色値（色彩値）を用いて、基準機ターゲットプロファイルを作成し、プリンタコントローラ３０に送信する（Ｓ１０５）。そして、プリンタコントローラ３０は、受信した基準機ターゲットプロファイルを記憶部３５などに記憶して登録する。
【００５６】
次に、サブ機（ここではデジタル印刷機４０ｂ）で印刷処理を実行するときのカラーマッチング手順について、図６のフローチャート図を参照して説明する。
【００５７】
クライアント端末２０の制御部２１（印刷ジョブ生成部２１ｂ）は、操作部２９によるユーザ操作に従って、サブ機からの印刷出力を指示する印刷ジョブを生成し、生成した印刷ジョブをプリンタコントローラ３０に送信して印刷指示を行う（Ｓ２０１）。その際、色変換に使用する標準色ターゲットプロファイルと基準機ターゲットプロファイルを設定して、当該設定内容をプリンタコントローラ３０に通知する。
【００５８】
プリンタコントローラ３０の制御部３１は、クライアント端末２０からの印刷指示を受けて印刷準備を行う。具体的には、制御部３１（印刷ジョブ解析部３１ｂ）は、印刷ジョブを解析してラスタライズ処理を行い、制御部３１（目標色変換テーブル生成部３１ｅ）は、設定された標準色ターゲットプロファイルと基準機ターゲットプロファイルから、目標色変換テーブルを生成する（Ｓ２０２）。このステップの詳細は後述する。
【００５９】
そして、制御部３１（色変換部３１ｈ）は、生成した目標色変換テーブルを用いて、ラスタライズされた印刷ジョブの色変換（カラーマッチング）を行って、サブ機（デジタル印刷機４０ｂ）に印刷指示を行い（Ｓ２０３）、サブ機（デジタル印刷機４０ｂ）は、プリンタコントローラ３０の指示に従って印刷を実行する（Ｓ２０４）。
【００６０】
次に、上記Ｓ２０２の目標色変換テーブルの作成手順について説明する。ＣＰＵ３２は、ＲＯＭ３３又は記憶部３５に記憶したプロファイル作成プログラムをＲＡＭ３４に展開して実行することにより、図７のフローチャート図に示す各ステップの処理を実行する。
【００６１】
まず、プリンタコントローラ３０の制御部３１（標準色ターゲットプロファイル取得部３１ｃ）は、クライアント端末２０から通知されたカラーマッチングの設定に従って、記憶部３５などから標準色ターゲットプロファイルを取得する（Ｓ３０１）。続いて、制御部３１（基準機ターゲットプロファイル取得部３１ｄ）は、クライアント端末２０から通知されたカラーマッチング設定に従って、記憶部３５などから基準機ターゲットプロファイルを取得する（Ｓ３０２）。
【００６２】
次に、制御部３１（目標色変換テーブル生成部３１ｅ（係数算出部３１ｆ））は、標準色ターゲットプロファイルの各入力点の色彩値（入力色彩値）から最高彩度点と最低彩度点を特定し、最高彩度点で係数（Ｗｉ）が最低値となり、最低彩度点で係数（Ｗｉ）が最高値となるように２点を繋ぐ特性曲線を作成する（Ｓ３０３）。なお、上述したように、特性曲線は、図８に示すように２点を直線で繋いでもよいし、図９に示すように曲線で繋いでもよいし、２本以上の直線を組み合わせて繋いでもよいし、直線と曲線を組み合わせて繋いでもよいし、ステップ形状としてもよい。また、特性曲線は、彩度の増加に伴って係数が徐々に減少する彩度領域を備えていればよく、図１０乃至図１３に示すように、彩度が変化しても係数が一定となる（傾きがゼロとなる）彩度領域を含んでいてもよい。
【００６３】
次に、制御部３１（目標色変換テーブル生成部３１ｅ（係数算出部３１ｆ））は、目標色変換テーブルの入力点を順に指定し、その入力点の色彩値から、彩度（Ｃ*）を計算し（Ｓ３０４）、Ｓ３０３で作成した特性曲線とＳ３０４で計算した彩度（Ｃ*）から、係数（Ｗｉ）を算出する（Ｓ３０５）。
【００６４】
次に、制御部３１（目標色変換テーブル生成部３１ｅ（目標色彩値算出部３１ｇ））は、Ｓ３０１で取得した標準色ターゲットプロファイルと、Ｓ３０２で取得した基準機ターゲットプロファイルと、Ｓ３０５で算出した係数（Ｗｉ）と、を用いて、入力点の色彩値に対する目標色彩値を算出する（Ｓ３０６）。そして、制御部３１（目標色変換テーブル生成部３１ｅ（目標色彩値算出部３１ｇ））は、全ての入力点に対して目標色彩値を算出したかを判断し（Ｓ３０７）、目標色彩値を算出していない入力点があれば、Ｓ３０４に戻って同様の処理を繰り返す。そして、全ての入力点に対して目標色彩値を算出したら、制御部３１（目標色変換テーブル生成部３１ｅ）は、入力点の色彩値と目標彩度値とを目標色変換テーブルに書き出して、目標色変換テーブルを生成する（Ｓ３０８）。
【００６５】
以上説明したように、複数の画像形成装置４０を用いて印刷を行う場合、基準機として選択した画像形成装置４０（例えば、オフセット印刷機４０ａ）にて標準色ターゲットプロファイルを用いてカラーマッチングを実施したカラーチャートを印刷し、そのカラーチャートを測色器５０で測色して得た測色値に基づいて基準機ターゲットプロファイルを作成し、他の画像形成装置４０（例えば、デジタル印刷機４０ｂ）でカラーマッチングを行う際は、標準色ターゲットプロファイルと基準機ターゲットプロファイルとを組み合わせた（特に、高彩度領域は標準色ターゲットプロファイルを主に使用し、低彩度領域は基準機ターゲットプロファイルを主に使用した）目標色変換テーブルを生成し、生成した目標色変換テーブルを用いてカラーマッチングを行うことにより、標準色に対する数値性能と、基準機に対する目視性能とを両立させることができる。
【００６６】
なお、本発明は上記実施例に限定されるものではなく、本発明の趣旨を逸脱しない限りにおいて、その構成や制御は適宜変更可能である。
【００６７】
例えば、上記実施例では、ある彩度を基準にして、高彩度領域は標準色ターゲットプロファイルを主に使用し、低彩度領域は基準機ターゲットプロファイルを主に使用するものとしたが、低彩度領域においても基準機との見た目の差異が許容範囲の場合は標準色ターゲットプロファイルのみを使用したり、高彩度領域においても標準色からのずれが許容範囲の場合は基準機ターゲットプロファイルのみを使用したりすることができる。
【００６８】
また、上記実施例では、プリンタコントローラ３０の目標色変換テーブル生成部３１ｅ（係数算出部３１ｆ）が特性曲線を作成し、その特性曲線に基づいて入力色彩値の彩度に対する係数を算出したが、特性曲線は必ずしも作成する必要はなく、所定の計算式に基づいて入力色彩値の彩度に対する係数を算出してもよい。
【００６９】
また、上記実施例では、標準色ターゲットプロファイルと基準機ターゲットプロファイルの２つのターゲットプロファイルを利用する場合について記載したが、３つ以上のターゲットプロファイルを利用する場合においても、本発明のカラーマッチング方法を同様に適用することができる。
【産業上の利用可能性】
【００７０】
本発明は、複数の画像形成装置を含むシステムに接続されるプロファイル生成装置及び当該プロファイル生成装置で動作するプロファイル生成プログラム並びに当該プロファイル生成プログラムを記録した記録媒体並びに複数の画像形成装置を含むシステムにおけるカラーマッチング方法に利用可能である。
【符号の説明】
【００７１】
１０  印刷システム
２０  クライアント端末
２１  制御部
２１ａ  基準機ターゲットプロファイル作成部
２１ｂ  印刷ジョブ生成部
２２  ＣＰＵ
２３  ＲＯＭ
２４  ＲＡＭ
２５  記憶部
２６  ネットワークＩ／Ｆ部
２７  測色器制御部
２８  表示部
２９  操作部
３０  プリンタコントローラ
３１  制御部
３１ａ  カラーチャート生成部
３１ｂ  印刷ジョブ解析部
３１ｃ  標準色ターゲットプロファイル取得部
３１ｄ  基準機ターゲットプロファイル取得部
３１ｅ  目標色変換テーブル生成部
３１ｆ  係数算出部
３１ｇ  目標色彩値算出部
３１ｈ  色変換部
３２  ＣＰＵ
３３  ＲＯＭ
３４  ＲＡＭ
３５  記憶部
３６  ネットワークＩ／Ｆ部
３７  表示部
３８  操作部
４０  画像形成装置
４０ａ  オフセット印刷機（基準機）
４０ｂ  デジタル印刷機（サブ機）
４１  制御部
４２  ＣＰＵ
４３  ＲＯＭ
４４  ＲＡＭ
４５  記憶部
４６  ネットワークＩ／Ｆ部
４７  表示操作部
４８  印刷処理部
５０  測色器
６０  通信ネットワーク
【図１】
0006292206.tif 000002
【図２】
0006292206.tif 000003
【図３】
0006292206.tif 000004
【図４】
0006292206.tif 000005
【図５】
0006292206.tif 000006
【図６】
0006292206.tif 000007
【図７】
0006292206.tif 000008
【図８】
0006292206.tif 000009
【図９】
0006292206.tif 000010
【図１０】
0006292206.tif 000011
【図１１】
0006292206.tif 000012
【図１２】
0006292206.tif 000013
【図１３】
0006292206.tif 000014
【図１４】
0006292206.tif 000015
【図１５】
0006292206.tif 000016
【図１６】
0006292206.tif 000017
【図１７】
0006292206.tif 000018